【手続補正書】
【提出日】平成30年9月12日(2018.9.12)
【手続補正１】
【補正対象書類名】特許請求の範囲
【補正対象項目名】全文
【補正方法】変更
【補正の内容】
【特許請求の範囲】
【請求項１】
冷媒を圧縮する圧縮機構（３）と、
前記圧縮機構（３）を駆動する電動モータ（５）と、
前記圧縮機構（３）及び電動モータ（５）が収容された本体ハウジング（７）と、
前記電動モータ（５）の駆動回路（９）が収容され、仕切壁（１１ｄ）によって前記本体ハウジング（７）と仕切られた回路ハウジング（１１ｂ）と、
前記回路ハウジング（１１ｂ）に露出する前記仕切壁（１１ｄ）の一方の面（１１ｆ）の当接箇所（１１ｉ）に当接された前記駆動回路（９）の発熱部品（９ｂ）と、
前記本体ハウジング（７）に露出する前記仕切壁（１１ｄ）の他方の面（１１ｅ）に設けられ、前記本体ハウジング（７）の外部から内部に吸入される冷媒が通過する吸入冷媒通路（１３）と、
前記吸入冷媒通路（１３）に形成され、通過する冷媒を前記当接箇所（１１ｉ）に吹き付ける開口部（１５ｄ，２１ｃ，２３ｃ，１１ｒ）と、
を備える電動コンプレッサ（１，１Ａ，１Ｂ，１Ｃ）。
【請求項２】
前記吸入冷媒通路（１３）の下流側端部を画成し、前記吸入冷媒通路（１３）における冷媒の流れ方向と交差する方向に延在する壁面（１５ｂ１，２１ｂ，２１ｄ，２３ｂ１，１１ｑ，１１ｓ）をさらに備える請求項１記載の電動コンプレッサ（１，１Ａ，１Ｂ，１Ｃ）。
【請求項３】
冷媒を圧縮する圧縮機構（３）と、
前記圧縮機構（３）を駆動する電動モータ（５）と、
前記圧縮機構（３）及び電動モータ（５）が内部に収容された本体ハウジング（７）と、
前記電動モータ（５）の駆動回路（９）が収容され、仕切壁（１１ｄ）によって前記本体ハウジング（７）と仕切られた回路ハウジング（１１ｂ）と、
前記回路ハウジング（１１ｂ）に露出する前記仕切壁（１１ｄ）の一方の面（１１ｆ）の当接箇所（１１ｉ）に当接された前記駆動回路（９）の発熱部品（９ｂ）と、
前記本体ハウジング（７）に露出する前記仕切壁（１１ｄ）の他方の面（１１ｅ）に設けられ、前記本体ハウジング（７）の外部と内部とを連通し、該本体ハウジング（７）の外部から内部に吸入される冷媒が通過する吸入冷媒通路（１３）と、
前記吸入冷媒通路（１３）の下流側端部を画成し、前記吸入冷媒通路（１３）における冷媒の流れ方向と交差する方向に延在する壁面（１５ｂ１，２１ｂ，２１ｄ，２３ｂ１，１１ｑ，１１ｓ）と、
前記吸入冷媒通路（１３）に形成され、通過する冷媒に前記当接箇所（１１ｉ）へ向かう流れを発生させる開口部（１５ｄ，２１ｃ，２３ｃ，１１ｒ）と、
を備える電動コンプレッサ（１，１Ａ，１Ｂ，１Ｃ）。
【請求項４】
前記仕切壁（１１ｄ）の他方の面（１１ｅ）における前記当接箇所（１１ｉ）の裏側箇所には薄肉部（１１ｋ）が形成されており、前記開口部（１５ｄ，２１ｃ，２３ｃ）は前記吸入冷媒通路（１３）の前記薄肉部（１１ｋ）に露出する部分に形成されている請求項１、２又は３記載の電動コンプレッサ（１，１Ａ，１Ｂ）。
【請求項５】
前記吸入冷媒通路（１３）に設けられ、前記本体ハウジング（７）の内部から前記吸入冷媒通路（１３）への冷媒の逆流を阻止する逆止弁（１５）をさらに備え、該逆止弁（１５）の弁体（１５ｂ）を移動可能に収容する筒状の弁ケース（１５ａ）の周面に、前記開口部（１５ｄ）が形成されている請求項１、２、３又は４記載の電動コンプレッサ（１）。
【請求項６】
前記弁ケース（１５ａ）は、前記仕切壁（１１ｄ）の他方の面（１１ｅ）における前記当接箇所（１１ｉ）の裏側箇所に向けて前記開口部（１５ｄ）が開放される向きに、前記弁ケース（１５ａ）を前記仕切壁（１１ｄ）に対して前記弁ケース（１５ａ）の周方向に位置決めする位置決め部（１９）を有する請求項５記載の電動コンプレッサ（１）。
【請求項７】
前記位置決め部（１９）は、前記仕切壁（１１ｄ）及び前記弁ケース（１５ａ）のうちいずれか一方（１５ａ）に設けられた凸部（１５ｅ，１５ｆ）と他方（１１ｄ）に設けられた凹部（１１ｍ，１１ｎ）とを有しており、該凸部（１５ｅ，１５ｆ）と前記凹部（１１ｍ，１１ｎ）との嵌合により前記弁ケース（１５ａ）が前記仕切壁（１１ｄ）に対して前記周方向に位置決めされる請求項６記載の電動コンプレッサ（１）。
【請求項８】
前記開口部（２１ｃ）は、前記回路ハウジング（１１ｂ）とは別体で前記吸入冷媒通路（１３）を構成する筒状部材（２１）の周面に形成されている請求項１、２、３又は４記載の電動コンプレッサ（１Ａ）。
【請求項９】
前記開口部２３ｃは、前記回路ハウジング（１１ｂ）とは別体で前記仕切壁（１１ｄ）の他方の面（１１ｅ）に固定され、該仕切壁（１１ｄ）と協働して前記吸入冷媒通路（１３）を構成する冷媒誘導カバー（２３）に形成されている請求項１、２、３又は４記載の電動コンプレッサ（１Ｂ）。
【請求項１０】
前記開口部（１１ｒ）は、前記回路ハウジング（１１ｂ）と一体に形成されて前記吸入冷媒通路（１３）における冷媒の流れ方向に延在し、前記仕切壁（１１ｄ）と協働して前記吸入冷媒通路（１３）を構成する冷媒誘導壁（１１ｐ）の終端に形成されており、前記冷媒誘導壁（１１ｐ）の前記開口部（１１ｒ）寄りの終端部分に、前記流れ方向に対して前記当接箇所（１１ｉ）に近づくように傾斜した傾斜部（１１ｑ）が設けられている請求項１、２又は３記載の電動コンプレッサ（１Ｃ）。
【手続補正２】
【補正対象書類名】明細書
【補正対象項目名】０００８
【補正方法】変更
【補正の内容】
【０００８】
上記目的を達成するため、本発明の電動コンプレッサは、
冷媒を圧縮する圧縮機構と、
前記圧縮機構を駆動する電動モータと、
前記圧縮機構及び電動モータが収容された本体ハウジングと、
前記電動モータの駆動回路が収容され、仕切壁によって前記本体ハウジングと仕切られた回路ハウジングと、
前記回路ハウジングに露出する前記仕切壁の一方の面の当接箇所に当接された前記駆動回路の発熱部品と、
前記本体ハウジングに露出する前記仕切壁の他方の面に設けられ、前記本体ハウジングの外部から内部に吸入される冷媒が通過する吸入冷媒通路と、
前記吸入冷媒通路に形成され、通過する冷媒を前記当接箇所に吹き付ける開口部と、
を備える。
【手続補正３】
【補正対象書類名】明細書
【補正対象項目名】００２５
【補正方法】変更
【補正の内容】
【００２５】
弁体１５ｂは、弁ケース１５ａの両端方向（上下方向）に移動可能に構成されている。弁体１５ｂの上面１５ｂ１（請求項中の壁面に相当）は、吸入冷媒通路１３を通過する冷媒の流れ方向と交差する方向に延在する。この弁体１５ｂは、弁体１５ｂの下方に配置されたコイルスプリング１５ｃの弾発力により弁ケース１５ａの上端側に付勢されている。弁体１５ｂが弁ケース１５ａ内を最も上端側に移動すると、接続部材１７に弁体１５ｂが当接して弁ケース１５ａが塞がれる。
【手続補正４】
【補正対象書類名】明細書
【補正対象項目名】００３９
【補正方法】変更
【補正の内容】
【００３９】
このため、逆止弁１５の開弁時に吸入ポート１１ｃから弁ケース１５ａに流入して開口部１５ｄを通過した吸入冷媒が、弁体１５ｂの上面１５ｂ１によって向きを変更されて、仕切壁１１ｄの面１１ｅの薄肉部１１ｋに吹き付けられるようになる。よって、吸入ポート１１ｃから吸入された冷媒を、電力用スイッチング素子９ｂが当接された当接部１１ｉの裏側箇所である仕切壁１１ｄの面１１ｅの薄肉部１１ｋに沿って確実に通過させ、仕切壁１１ｄを介して電力用スイッチング素子９ｂを吸入冷媒によって確実かつ十分に冷却することができる。
【手続補正５】
【補正対象書類名】明細書
【補正対象項目名】００４５
【補正方法】変更
【補正の内容】
【００４５】
そして、第２実施形態の電動コンプレッサ１Ａの吸入冷媒通路１３は、筒状部材２１と接続部材１７とを有している。筒状部材２１は、図７に示すように、一端が開放された本体２１ａを有しており、本体２１ａの他端は筒状部材２１の中心軸に対して傾斜したテーパ面２１ｂ（請求項中の壁面に相当）によって塞がれている。このテーパ面２１ｂは、吸入冷媒通路１３を通過する冷媒の流れ方向と交差する方向に延在する。このテーパ面２１ｂは、本体２１ａの開放された一端（上端）は、筒状の接続部材１７により吸入ポート１１ｃに接続されている。本体２１ａの周面には、筒状部材２１の内部と外部（吸入室７ｂ）とを連通させる開口部２１ｃが形成されている。テーパ面２１ｂで塞がれた本体２１ａの他端（下端）は、仕切壁１１ｄの面１１ｅから突設された支持リブ１１ｏによって支持される。
【手続補正６】
【補正対象書類名】明細書
【補正対象項目名】００４８
【補正方法】変更
【補正の内容】
【００４８】
このように構成された第２実施形態の電動コンプレッサ１Ａでは、吸入ポート１１ｃから筒状部材２１の本体２１ａに流入した吸入冷媒が、テーパ面２１ｂによって各開口部２１ｃ側に誘導される。そして、各開口部２１ｃを通過した冷媒が、第１実施形態の電動コンプレッサ１における逆止弁１５の弁ケース１５ａの開口部１５ｄを通過した吸入冷媒と同様に、筒状部材２１の本体２１ａのテーパ面２１ｂによって向きを変更されて、仕切壁１１ｄの面１１ｅの薄肉部１１ｋに吹き付けられるようになる。
【手続補正７】
【補正対象書類名】明細書
【補正対象項目名】００５０
【補正方法】変更
【補正の内容】
【００５０】
なお、図８の正断面図や図９の要部拡大縦断面図に示す第２実施形態の変形例の電動コンプレッサ１Ａのように、吸入ポート１１ｃから筒状部材２１の本体２１ａに流入した冷媒の一部を、本体２１ａの底面２１ｄ（請求項中の壁面に相当）に形成したノズル２１ｅにより、仕切壁１１ｄの支持リブ１１ｏの下方に吹き出させるように構成してもよい。
【手続補正８】
【補正対象書類名】明細書
【補正対象項目名】００５２
【補正方法】変更
【補正の内容】
【００５２】
ちなみに、この変形例では、ノズル２１ｅの形成を容易にするために、本体２１ａの他端（下端）の底面２１ｄを、第２実施形態のテーパ面２１ｂではなく、筒状部材２１の中心軸に対して直交する平坦な面としている。そのように構成しても、本体２１ａの底面２１ｄは、吸入冷媒通路１３を通過する冷媒の流れ方向と交差する方向に延在する。したがって、開口部２１ｃを通過した冷媒が、本体２１ａの底面２１ｄによって向きを変更されて、仕切壁１１ｄの面１１ｅの薄肉部１１ｋに吹き付けられるようにすることができる。しかし、底面２１ｄを第２実施形態のテーパ面２１ｂのような傾斜面としてもよい。
【手続補正９】
【補正対象書類名】明細書
【補正対象項目名】００５５
【補正方法】変更
【補正の内容】
【００５５】
そして、第３実施形態の電動コンプレッサ１Ｂの吸入冷媒通路１３は、冷媒誘導カバー２３を有している。冷媒誘導カバー２３は、図１１（ａ），（ｂ）に示すように、円筒状の端面のうち半円分の部分を切り欠いた接続部２３ａと、接続部２３ａに連なる内部空間を有するカバー本体２３ｂとを有している。カバー本体２３ｂは、接続部２３ａに対向する壁面２３ｂ１（請求項中の壁面に相当）を有している。また、カバー本体２３ｂは、内部空間と連通する開口部２３ｃを有している。
【手続補正１０】
【補正対象書類名】明細書
【補正対象項目名】００５７
【補正方法】変更
【補正の内容】
【００５７】
面１１ｅに取り付けた状態で、冷媒誘導カバー２３の接続部２３ａは、図１２に示すように、吸入ポート１１ｃに接続される。また、カバー本体２３ｂは、開口部２３ｃが開口する開放端を図３（ｂ）に示す仕切壁１１ｄの面１１ｅのうち２つの薄肉部１１ｋ，１１ｋ間の部分に当接させた状態となる。したがって、カバー本体２３ｂの開口部２３ｃは、両薄肉部１１ｋ，１１ｋに跨がって各薄肉部１１ｋとそれぞれ対向する。さらに、カバー本体２３ｂの壁面２３ｂ１は、吸入冷媒通路１３を通過する冷媒の流れ方向と交差する方向に延在する。
【手続補正１１】
【補正対象書類名】明細書
【補正対象項目名】００５９
【補正方法】変更
【補正の内容】
【００５９】
このように構成された第３実施形態の電動コンプレッサ１Ｂでは、吸入ポート１１ｃから冷媒誘導カバー２３の接続部２３ａを介してカバー本体２３ｂに流入した吸入冷媒が、カバー本体２３ｂの内部空間において、接続部２３ａ以外の開口部分であるカバー本体２３ｂの開口部２３ｃ側に誘導される。そして、開口部２３ｃを通過した冷媒が、第１実施形態の電動コンプレッサ１における逆止弁１５の弁ケース１５ａの開口部１５ｄを通過した吸入冷媒と同様に、カバー本体２３ｂの壁面２３ｂ１によって向きを変更されて、仕切壁１１ｄの面１１ｅの薄肉部１１ｋに吹き付けられるようになる。
【手続補正１２】
【補正対象書類名】明細書
【補正対象項目名】００６７
【補正方法】変更
【補正の内容】
【００６７】
傾斜部１１ｑ（請求項中の壁面に相当）は自由端である終端（下端）に向かうにつれて仕切壁１１ｄの面１１ｅに近づく円弧状を呈している。即ち、傾斜部１１ｑは、吸入冷媒通路１３を通過する冷媒の流れ方向と交差する方向に延在している。傾斜部１１ｑの終端と仕切壁１１ｄの面１１ｅとの間には開口部１１ｒが形成されている。吸入冷媒通路１３の内部には、吸入ポート１１ｃから開口部１１ｒに向かう冷媒の流れが生じる。
【手続補正１３】
【補正対象書類名】明細書
【補正対象項目名】００６８
【補正方法】変更
【補正の内容】
【００６８】
このように構成された第４実施形態の電動コンプレッサ１Ｃでは、吸入ポート１１ｃから吸入冷媒通路１３の冷媒誘導カバー２３の冷媒誘導壁１１ｐと仕切壁１１ｄの面１１ｅとの間の空間に流入した吸入冷媒が、開口部１１ｒに向かって移動する。その際に、傾斜部１１ｑによって冷媒の向きが変更されて、仕切壁１１ｄの面１１ｆの電力用スイッチング素子９ｂを当接させた当接部１１ｉの裏側部分側に冷媒が誘導される。ここで傾斜部１１ｑによって変更された冷媒の向きは、冷媒が誘導される当接部１１ｉの裏側部分の面１１ｅの延在方向と交差している。したがって、傾斜部１１ｑによって向きが変更された冷媒は、当接部１１ｉの裏側部分に吹き付けられる。
【手続補正１４】
【補正対象書類名】明細書
【補正対象項目名】００７２
【補正方法】変更
【補正の内容】
【００７２】
また、図１９の斜視図及び図２０の要部拡大縦断面図に示す第４実施形態の他の変形例に係る電動コンプレッサのように、先の変形例における吸入冷媒通路１３の傾斜部１１ｑを、冷媒誘導壁１１ｑを円弧の中心軸方向、即ち、吸入冷媒通路１３における冷媒の流れ方向に対して直交する平坦面による底面１１ｓ（請求項中の壁面に相当）に代えてもよい。
【手続補正１５】
【補正対象書類名】明細書
【補正対象項目名】００７６
【補正方法】変更
【補正の内容】
【００７６】
１，１Ａ，１Ｂ，１Ｃ  電動コンプレッサ
３  圧縮機構
３ａ，３ｂ  サイドブロック
３ｃ  シリンダブロック
３ｄ  シリンダ室
３ｅ  ロータ
５  電動モータ
７  ハウジング（本体ハウジング）
７ａ  吐出室
７ｂ  吸入室
７ｃ  開口
９  インバータ回路（駆動回路）
９ａ  回路基板
９ｂ  電力用スイッチング素子
９ｃ  コンデンサ
９ｄ  コイル
１１  インバータケース
１１ａ  蓋部
１１ｂ  回路収容部（回路ハウジング）
１１ｃ  吸入ポート
１１ｄ  仕切壁
１１ｅ  仕切壁面（他方の面）
１１ｆ  仕切壁面（一方の面）
１１ｇ  回路収容部開口
１１ｈ  キャップ
１１ｉ  当接部（当接箇所）
１１ｊ  吸入室連通路
１１ｋ  薄肉部
１１ｌ  リブ
１１ｍ  嵌合部（位置決め部、凹部）
１１ｎ  嵌合孔（位置決め部、凹部）
１１ｏ  支持リブ
１１ｐ  冷媒誘導壁
１１ｑ  傾斜部（壁面）
１３  吸入冷媒通路
１５  逆止弁
１５ａ  弁ケース
１５ｂ  弁体
１５ｂ１  弁体上面（壁面）
１５ｃ  コイルスプリング
１１ｒ，１５ｄ，２１ｃ，２３ｃ  開口部
１５ｅ  角部（位置決め部、凸部）
１５ｆ  突起（位置決め部、凸部）
１７  接続部材
１９  位置決め部
２１  筒状部材
２１ａ  本体
２１ｂ  テーパ面（壁面）
１１ｓ，２１ｄ  底面（壁面）
２１ｅ，２３ｄ  ノズル
２３  冷媒誘導カバー
２３ａ  接続部
２３ｂ  カバー本体
２３ｂ１  カバー本体壁面
【手続補正１６】
【補正対象書類名】図面
【補正対象項目名】図２
【補正方法】変更
【補正の内容】
【図２】
2017008922.tif 000001
【手続補正１７】
【補正対象書類名】図面
【補正対象項目名】図３
【補正方法】変更
【補正の内容】
【図３】
2017008922.tif 000002
【手続補正１８】
【補正対象書類名】図面
【補正対象項目名】図５
【補正方法】変更
【補正の内容】
【図５】
2017008922.tif 000003
【手続補正１９】
【補正対象書類名】図面
【補正対象項目名】図８
【補正方法】変更
【補正の内容】
【図８】
2017008922.tif 000004
【手続補正２０】
【補正対象書類名】図面
【補正対象項目名】図１０
【補正方法】変更
【補正の内容】
【図１０】
2017008922.tif 000005
【手続補正２１】
【補正対象書類名】図面
【補正対象項目名】図１１
【補正方法】変更
【補正の内容】
【図１１】
2017008922.tif 000006
【手続補正２２】
【補正対象書類名】図面
【補正対象項目名】図１２
【補正方法】変更
【補正の内容】
【図１２】
2017008922.tif 000007
【手続補正２３】
【補正対象書類名】図面
【補正対象項目名】図１３
【補正方法】変更
【補正の内容】
【図１３】
2017008922.tif 000008
【手続補正２４】
【補正対象書類名】図面
【補正対象項目名】図１４
【補正方法】変更
【補正の内容】
【図１４】
2017008922.tif 000009